【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
ネットワーク情報ストリングを登録する方法であって、
情報ストリングサーバ装置において、ネットワーク名識別子の少なくとも一部及び媒体アクセス制御（ＭＡＣ）アドレスの少なくとも一部から成る群から選択されるネットワーク情報ストリングを登録するための、所有者識別情報を含む要求をコンピュータ装置から受け取るステップと、
前記情報ストリングサーバ装置により、前記ネットワーク情報ストリングが前記情報ストリングサーバ装置に既に登録されているかどうかを判定するステップと、
前記ネットワーク情報ストリングが前記情報ストリングサーバ装置にこれまでに登録されていなかった場合、前記情報ストリングサーバ装置により、前記ネットワーク情報ストリングを前記所有者識別情報に関連付けて登録するステップと、
前記情報ストリングサーバ装置により、前記登録されたネットワーク情報ストリング及び前記所有者識別情報にコンテンツを関連付けて該コンテンツを第１の記録に記憶する権利、前記第１の記録からコンテンツを削除する権利、及び前記登録されたネットワーク情報ストリングには関連するが前記所有者識別情報には関連しない第２の記録に記憶されたコンテンツを削除する権利から成る群から選択される、前記登録されたネットワーク情報ストリングに対する所有者権利を許可するステップと、
を含むことを特徴とする方法。
【請求項２】
前記ネットワーク情報ストリングが前記情報ストリングサーバ装置にこれまでに登録されていなかった場合、前記情報ストリングサーバ装置により、前記コンピュータ装置に登録受け付けメッセージを送信するステップをさらに含む、
ことを特徴とする請求項１に記載の方法。
【請求項３】
前記情報ストリングサーバ装置において、前記ネットワーク情報ストリングにコンテンツを関連付けるための要求を受け取るステップと、
前記情報ストリングサーバ装置により、前記ネットワーク情報ストリングにコンテンツを関連付けるための前記要求が、前記登録されたネットワーク情報ストリングに関連する所有者識別情報を含むかどうかを判定するステップと、
前記コンテンツを関連付けるための要求が、前記登録されたネットワーク情報ストリングに関連する所有者識別情報を含む場合、前記情報ストリングサーバ装置により、前記ネットワーク情報ストリングに関連するコンテンツを情報ストリングデータストアの前記第１の記録に記憶するステップと、
前記コンテンツを関連付けるための要求が、前記登録されたネットワーク情報ストリングに関連する所有者識別情報を含まない場合、前記情報ストリングサーバ装置により、前記ネットワーク情報ストリングに関連するコンテンツを情報ストリングデータストアの前記第２の記録に記憶するステップと、
をさらに含むことを特徴とする請求項１に記載の方法。
【請求項４】
前記コンテンツは、テキスト、クーポン、告知、メニュー、ニュースアラート、写真、指示、前記無線局が実行可能なコマンド、及び別のサーバ上の追加コンテンツへのリンクから成る群から選択される、
ことを特徴とする請求項３に記載の方法。
【請求項５】
前記情報ストリングサーバ装置により、前記第２の記録からコンテンツを削除するための要求を受け取るステップと、
前記情報ストリングサーバ装置により、前記ネットワーク情報ストリングに関連するコンテンツを削除するための前記要求が、前記登録されたネットワーク情報ストリングに関連する所有者識別情報を含むかどうかを判定するステップと、
前記コンテンツを削除するための要求が、前記登録されたネットワーク情報ストリングに関連する所有者識別情報を含む場合、前記情報ストリングサーバ装置により、前記コンテンツを削除するための要求に応答して前記第２の記録から前記コンテンツを削除するステップと、
をさらに含むことを特徴とする請求項３に記載の方法。
【請求項６】
前記ネットワーク名識別子は、サービスセット識別子（ＳＳＩＤ）である、
ことを特徴とする請求項１に記載の方法。
【請求項７】
前記ネットワーク情報ストリングは、第１のストリングブロードキャスト局によりブロードキャストされた前記ネットワーク名識別子の少なくとも一部を含み、前記第１のストリングブロードキャスト局はＭＡＣアドレスを有し、前記方法は、前記ネットワーク情報ストリングを前記第１のストリングブロードキャスト局の前記ＭＡＣアドレスに関連付けて登録するステップをさらに含む、
ことを特徴とする請求項１に記載の方法。
【請求項８】
前記ネットワーク情報ストリングは、第２のＭＡＣアドレスを有する第２のストリングブロードキャスト局によりブロードキャストされ、前記方法は、前記ネットワーク情報ストリングを前記第２のストリングブロードキャスト局の第２のＭＡＣアドレスに関連付けて登録するステップをさらに含む、
ことを特徴とする請求項７に記載の方法。
【請求項９】
ネットワーク情報ストリングを登録するためのシステムであって、
プロセッサを有する情報ストリングサーバ装置を備え、前記プロセッサは、
ネットワーク名識別子の少なくとも一部及び媒体アクセス制御（ＭＡＣ）アドレスの少なくとも一部から成る群から選択されるネットワーク情報ストリングを登録するための、所有者識別情報を含む要求をコンピュータ装置から受け取るステップと、
前記ネットワーク情報ストリングが前記情報ストリングサーバ装置に既に登録されているかどうかを判定するステップと、
前記ネットワーク情報ストリングが前記情報ストリングサーバ装置にこれまでに登録されていなかった場合、前記ネットワーク情報ストリングを前記所有者識別情報に関連付けて登録するステップと、
前記登録されたネットワーク情報ストリング及び前記所有者識別情報にコンテンツを関連付けて該コンテンツを第１の記録に記憶する権利、前記第１の記録からコンテンツを削除する権利、及び前記登録されたネットワーク情報ストリングには関連するが前記所有者識別情報には関連しない第２の記録に記憶されたコンテンツを削除する権利から成る群から選択される、前記登録されたネットワーク情報ストリングに対する所有者権利を許可するステップと、
を含む動作を前記情報ストリングサーバ装置に実行させるソフトウェア命令によって構成される、
ことを特徴とするシステム。
【請求項１０】
前記プロセッサは、前記ネットワーク情報ストリングが前記情報ストリングサーバ装置にこれまでに登録されていなかった場合、前記コンピュータ装置に登録受け付けメッセージを送信するステップを含む動作を前記情報ストリングサーバ装置に実行させるソフトウェア命令によってさらに構成される、
ことを特徴とする請求項９に記載のシステム。
【請求項１１】
前記プロセッサは、
前記ネットワーク情報ストリングにコンテンツを関連付けるための要求を受け取るステップと、
前記ネットワーク情報ストリングにコンテンツを関連付けるための前記要求が、前記登録されたネットワーク情報ストリングに関連する所有者識別情報を含むかどうかを判定するステップと、
前記コンテンツを記憶するための要求が、前記登録されたネットワーク情報ストリングに関連する所有者識別情報を含む場合、前記ネットワーク情報ストリングに関連するコンテンツを情報ストリングデータストアの前記第１の記録に記憶するステップと、
前記コンテンツを関連付けるための要求が、前記登録されたネットワーク情報ストリングに関連する所有者識別情報を含まない場合、前記ネットワーク情報ストリングに関連するコンテンツを情報ストリングデータストアの前記第２の記録に記憶するステップと、  を含む動作を前記情報ストリングサーバ装置に実行させるソフトウェア命令によって構成される、
ことを特徴とする請求項９に記載のシステム。
【請求項１２】
前記コンテンツは、クーポン、告知、メニュー、ニュースアラート、写真、指示、前記無線局が実行可能なコマンド、及び別のサーバ上の追加コンテンツへのリンクから成る群から選択される、
ことを特徴とする請求項１１に記載のシステム。
【請求項１３】
前記プロセッサは、
前記情報ストリングサーバにより、前記第２の記録からコンテンツを削除するための要求を受け取るステップと、
前記情報ストリングサーバ装置により、前記ネットワーク情報ストリングに関連するコンテンツを削除するための前記要求が、前記登録されたネットワーク情報ストリングに関連する所有者識別情報を含むかどうかを判定するステップと、
前記コンテンツを削除するための要求が、前記登録されたネットワーク情報ストリングに関連する所有者識別情報を含む場合、前記情報ストリングサーバ装置により、前記コンテンツを削除するための要求に応答して前記第２の記録から前記コンテンツを削除するステップと、
を含む動作を前記情報ストリングサーバ装置に実行させるソフトウェア命令によって構成される、
ことを特徴とする請求項１１に記載のシステム。
【請求項１４】
前記ネットワーク名識別子は、サービスセット識別子（ＳＳＩＤ）である、
ことを特徴とする請求項９に記載のシステム。